(57)【要約】【課題】  使いやすく、携帯に便利な戸外用調理ボックスを提供する。【解決手段】  調理用具を収納する箱本体１と箱のふた２、はめ板３、Ｌ字型のバー４を備え、Ｕ型の箱本体１と箱本体に連結した箱のふた２の付き合わさる位置には、それぞれ留め金具１１、２１が備えられ、箱本体１の向かい合う両面にはそれぞれ２列の穴が並んだ棚止め板１４及び箱板を貫通する通気穴１５があり、２つの各用具を納める内側がくぼんだ形態の調理トレー５が一組になった２組の調理用具ユニットはそれぞれ箱本体１の左右両側に納められ、箱のふた２と箱本体１が合体すると、携帯に便利な形態となる。さらに、箱のふた２を開けて箱のふた２と箱本体１の板面を９０度にして、Ｌ字型のバー４の両端の足をそれぞれ箱のふた２と箱本体１の板面にある挿入穴に差し込んで固定すると、調理トレー５を置くことができる。【選択図】    図１
0003108226.tif 000002
【実用新案登録請求の範囲】
【請求項１】
調理用具ユニットを収納する箱本体、箱のふた、はめ板及びＬ字型バーを備え、
前記箱本体は、Ｕ型であり、その一端は箱のふたと連結し、箱本体と箱のふたの外側の付き合わさる位置には、それぞれ留め金具がついており、箱本体の向かい合う両面にはそれぞれ２列の穴が並んだ棚止め板及び箱板を貫通する通気穴があり、各用具が内側がくぼんだ形態の調理トレーに納められ、２つのトレーが一組になった２組の調理用具ユニットがそれぞれ箱の左右両側に納められ、箱のふたと本体が合体すると、携帯に便利な形態となり、
前記Ｌ字型バーは、箱のふたを開けて調理用具を取り出し、箱本体を９０度の角度で手前に倒して、ふたを１８０度に折り、ふたに連結する箱の本体の板面と９０度になるようにしてから、その両端の足をそれぞれ箱のふたとそれに連結する箱本体の板面にある挿入穴に差し込んで固定すると、調理トレーを置くことが可能であることを特徴とする調理ボックス。
【請求項２】
箱本体と箱のふたの外側の付き合わさる位置には、箱本体側と箱のふた側にそれぞれ留め金具がついており、収納時に留めて固定可能であり、持ち運びが容易であることを特徴とする請求項１に記載の調理ボックス。
【請求項３】
箱本体の向かい合う両面の板に、それぞれ数個の板を貫通する通気穴があって、空気の流通を助けることを特徴とする請求項１に記載の調理ボックス。
【請求項４】
箱本体の向かい合う両面の板に、それぞれ２列の穴が並ぶ棚止め板があって、ストッパーの位置を変化させることにより、はめ板の高さを調整可能であることを特徴とする請求項１に記載の調理ボックス。
【考案の詳細な説明】
【技術分野】
【０００１】
本考案は、コンパクトでシンプルな調理ボックスに関する。本考案の調理ボックスは、操作が簡単でいろいろな機能を持ち、収納や携帯に便利な、コンパクトでシンプルであるという特徴を持つ。
【背景技術】
【０００２】
戸外で調理する場合、キャンプ場やバーベキューコーナーの管理事務所で用具を借りることもできるが、自分で調理用具を持っていくケースも多い。しかしながら、自分で用具を準備して携帯する場合、準備が面倒であったり、携帯に不便であったり、忘れ物をしたりで、困ることも多い。現在、市場に出回っている戸外の調理用具はいろいろ工夫されていて、使い勝手のよいものも少なくない。
【考案の開示】
【考案が解決しようとする課題】
【０００３】
しかしながら、それぞれに、欠点や問題もあって、さらに、使いやすく、携帯に便利な戸外用調理ボックスの開発が必要である。
そこで、本考案の目的は、操作が簡単で、いろいろな機能を持ち、収納や持ち運びにも便利で実用性が高い調理ボックスを提供することにある。
【課題を解決するための手段】
【０００４】
本考案の調理ボックスは、調理用具を収納する箱本体と箱のふた、はめ板、Ｌ字型のバーからなる。この箱本体はＵ型をしていて、その一端は箱のふたと連結している。箱本体と箱のふたの外側の付き合わさる位置には、それぞれ、留め金具がついている。そして、箱本体の向かい合う両面にはそれぞれ２列の穴が並んだ棚止め板及び箱板を貫通する通気穴がある。各用具は内側がくぼんだ形態の調理トレーに納められ、２つのトレーが一組になった、２組の調理用具ユニットはそれぞれ箱の左右両側に納められ、箱のふたと本体が合体すると、携帯に便利な形態となる。さらに、箱を開けて調理用具を取り出し、箱本体を９０度の角度で手前に倒す。ふたを１８０度に折り、ふたに連結する箱の本体の板面と９０度になるようにしてから、Ｌ字型のバーの両端の足をそれぞれふたとそれに連結する板面にある挿入穴に差し込んで固定すると、調理トレーを置くことができる。このように、本考案の調理ボックス操作が簡単で、いろいろな機能を持ち、収納や持ち運びにも便利で実用性が高い。
【考案を実施するための最良の形態】
【０００５】
図１に示すように、本考案の一実施例による調理ボックスは、調理用具ユニットを収納する箱本体１、ふた２、はめ板３、Ｌ字型バー４からなる。箱本体１はＵ型をしていて、その一端は箱のふた２と連結している。箱本体１と箱のふた２の外側の付き合わさる位置には、それぞれ、留め金具（本体側）１１、留め金具（ふた側）２１がついていて、収納時に留めて固定するようになっている。そして、箱本体１の向かい合う両面の板１２、１３にはそれぞれ２列の穴が並んだ棚止め板１４及び箱板を貫通する通気穴１５があって、空気が流通するのを助けている。そのうち、相対する棚止め板１４は、ストッパー１６の位置を選択でき、はめ板３の高さが調整できるようになっている。
【０００６】
各用具（例えば、皿、碗、スプーン、ナイフ、箸、まな板、鍋、肉返し用はさみ、調味料の瓶、ガスコンロ、やかん等）は、内側がくぼんだ形態の調理トレー５に納められ、２つの調理トレー５が一組になった、２組の調理用具ユニットはそれぞれ箱本体１の左右両側に納められ、箱のふた２と本体１が合体すると、そのまま携帯に便利な形態となり（図２参照）、「調理用具は持ち運びに不便」、「これを持ったらあれを忘れた」といった問題が発生しない。
【０００７】
使用時は、まず、箱本体１とふた２の外側にある留め金具（本体側）１１及び留め金具（ふた側）２１をはずし、両側の調理用具ユニットを取り出し（図３‐Ａ及び図３‐Ｂ参照）、ふた２を１８０度に折り、ふた２に連結する箱の本体の板１１と９０度になるようにしてから（図３‐Ｃ参照）、さらに、本体１が９０度になるようにして手前に倒し（図４参照）、Ｌ字型のバー４の両端の足４１をそれぞれふた２とそれに連結する板１２にある挿入穴２２、１２１に差し込むと、ふた２と板１２が固定されて、調理トレー５を置くことができる（他の用具を置いてもよい）。同時に、本体１の向かい合う板１２、１３にそれぞれある、２列の穴が並んだ棚止め板１４は、ストッパー１６の位置を選択できるようになっていて、ストッパー１６により止めるはめ板３の高さが調節でき（図４参照）、ガスコンロが置けるようになっている。箱本体１の両面の板１２、１３は調理トレー５を置いて、野菜を炒めたリ、煮物をしたり、鉄板焼きをしたり（図５参照）、また、必要に応じて、直接やかんをかけて湯を沸かしたりすることも可能である（図６参照）。収納の際は、広げた時と逆の順序で片付ければよい。
【０００８】
以上のように、本実施例の調理ボックスは、箱本体とふたの外側にそれぞれ留め金具があって、収納時に留めて固定できるため、携帯に便利である。
また、本実施例の調理ボックスは、箱本体の向かい合う両面の板に数個の板を貫通する通気穴があって、空気の流通を助けている。
さらに、本実施例の調理ボックスは、箱本体の向かい合う両面の板にそれぞれ棚止め板があって、ストッパーの位置を変えることで、はめ板の位置を調整できる。
このように、本実施例の調理ボックスは、コンパクト且つシンプルであり、操作が簡単で、いろいろな機能を持ち、収納や持ち運びにも便利で実用性が高い。
【図面の簡単な説明】
【０００９】
【図１】本考案の実施例による調理ボックスの構造を示す立体分解図である。
【図２】本考案の実施例による調理ボックスを収納した状態を示す斜視図である。
【図３Ａ】本考案の実施例による調理ボックスから調理器具を取り出した状態を示す斜視図である。
【図３Ｂ】本考案の実施例による調理ボックスから調理器具を取り出した状態を別の角度から見た斜視図である。
【図３Ｃ】本考案の実施例による調理ボックスから調理器具を取り出して広げた状態を示す斜視図である。
【図４】本考案の実施例による調理ボックスを手前に倒した状態を示す斜視図である。
【図５】本考案の実施例による調理ボックスの使用状態を示す斜視図である。
【図６】本考案の実施例による調理ボックスの他の仕様状態を示す斜視図である。
【符号の説明】
【００１０】
１  箱本体、１１  留め金具（本体側）、１２  板、１２１  挿入穴、１３  板  、１４  棚止め板、１５  通気穴、１６  ストッパー、２  箱のふた、２１  留め金具（ふた側）、２２  挿入穴、３  はめ板、４  Ｌ字型のバー、５  調理トレー
【図１】
0003108226.tif 000003
【図２】
0003108226.tif 000004
【図３Ａ】
0003108226.tif 000005
【図３Ｂ】
0003108226.tif 000006
【図３Ｃ】
0003108226.tif 000007
【図４】
0003108226.tif 000008
【図５】
0003108226.tif 000009
【図６】
0003108226.tif 000010